(57)【要約】【課題】綴じ紐によって綴じられた複数の書類から特定の書類を抜き出す作業及び元に戻す作業を容易に行うことを可能にする綴じ紐通し補助具を提供すること。【解決手段】書類束１００ａに形成されている綴じ紐１０４を通すための一対の綴じ孔１０２、１０２にそれぞれ挿入される一対の差込棒５、５からなる綴じ紐通し補助具１であって、差込棒５は、綴じ孔１０２に挿入される直線状の本体部１０と、本体部１０の一端部に形成され、綴じ孔１０２に挿脱自在な大きさのリング部１２と、本体部１０の他端部に形成され、書類束１００ａにおける綴じ孔１０２の縁部に係合する球体部１４と、を備える。【選択図】図３
2016215542.tif 000002
【特許請求の範囲】
【請求項１】
書類束に形成されている綴じ紐を通すための一対の綴じ孔にそれぞれ挿入される一対の差込棒からなる綴じ紐通し補助具であって、
前記差込棒は、
前記綴じ孔に挿入される直線状の本体部と、
当該本体部の一端部に形成され、前記綴じ孔に挿脱自在な大きさのリング部と、
前記本体部の他端部に形成され、前記書類束における前記綴じ孔の縁部に係合する移動規制部と、を備えることを特徴とする綴じ紐通し補助具。
【請求項２】
前記移動規制部は、前記綴じ孔の直径よりも大きい直径の球体からなること特徴とする請求項１記載の綴じ紐通し補助具。
【発明の詳細な説明】
【技術分野】
【０００１】
本発明は、書類に形成された綴じ孔に綴じ紐を通す際に使用される綴じ紐通し補助具に関する。
【背景技術】
【０００２】
図５に示すように、複数の書類を、綴じ紐１０４を用いて綴じることによって冊子１００を作成する際には、まず、複数の書類を揃えて穴あけパンチに装着して一対の綴じ孔１０２を穿孔する。次に、この一対の綴じ孔１０２が連なることによって形成される二つの貫通孔に綴じ紐１０４の両端部を通し、綴じ紐１０４の両端部を結ぶ。これにより、冊子１００が作成される。また、冊子１００に新たな書類を追加する際には、綴じ紐１０４を一旦ほどき、追加する書類に穿孔した一対の綴じ孔１０２に綴じ紐１０４の両端部を通してから、再度、綴じ紐１０４を結ぶ。これにより、冊子１００に新たな書類が追加される。
【０００３】
また従来、この種の技術として、特許文献１に記載された技術がある。特許文献１には、細長い棒状体の後端部に、綴じ紐先端部を圧入係止するための中空部が形成された書類用綴じ紐の補助具について開示されている。この書類用綴じ紐の補助具を用いることにより、パンチ孔の有る無しに拘らず、書類束への紐通しを簡単かつスムーズに行うことが可能になる。
【先行技術文献】
【特許文献】
【０００４】
【特許文献１】実用新案登録第３０２６０５８号公報
【発明の概要】
【発明が解決しようとする課題】
【０００５】
ところで、綴じ紐によって綴じられた冊子１００の複数の書類の中から特定の書類の複写物を作成する際に、冊子１００が厚い場合には、特定の書類全体を複写機の原稿設置面に密着させることができないため、複写物においては一部の画像が歪んでしまう。このため、きれいな複写物を得るためには、綴じ紐によって綴じられた複数の書類の中から特定の書類を抜き出して複写機にセットする必要がある。
【０００６】
特定の書類を抜き出す際には、綴じ紐を一旦ほどいて、最上の書類から特定の書類あるいはその直前の書類までの書類束を綴じ紐から抜き出してから、特定の書類を抜き出す。そして、特定の書類の複写物を作成した後、その特定の書類を綴じ紐に通し、更に、残りの書類束をまとめて綴じ紐に通す、といった作業が行われる。
【０００７】
しかし、綴じ紐から抜き出された残りの書類束は撓み易く、隣合う書類間にずれが生じ易くなる。隣合う書類にずれが生じると、綴じ孔が揃わなくなり、綴じ孔によって形成される貫通孔が小さくなって綴じ紐が通りにくくなる。しかも、特定の書類を複写する作業は、通常、１人で行われ、片方の手で綴じ紐を把持し、もう片方の手で残りの書類束を把持するため、書類束が撓んで綴じ孔が揃わなくなり易くなる。このように、特定の書類を抜き出すまでは容易にできるが、抜き出された書類束を元に戻す作業については困難性が高い。
【０００８】
また、綴じ紐は、綴じ孔に通しやすくするために、両端部が所定の長さ分だけ固められて、棒状に形成されている。しかし、残りの書類束が厚い場合には、残りの書類束に対して一度にまとめて綴じ紐を通すことができない場合がある。この場合には、残りの書類束を数回に分けて綴じ紐を通すことになるため、冊子１００を元に戻すまでに時間がかかる。
【０００９】
そこで、綴じ紐によって綴じられた複数の書類から特定の書類を抜き出す作業及び元に戻す作業が容易できる綴じ紐通し補助具の出現が望まれる。
【００１０】
本発明は、このような問題点を解決し、綴じ紐によって綴じられた複数の書類から特定の書類を抜き出す作業及び元に戻す作業を容易に行うことを可能にする綴じ紐通し補助具を提供することを目的とする。
【課題を解決するための手段】
【００１１】
前記目的を達成するため、本発明は、次に記載する構成を備えている。
【００１２】
（１）  書類束に形成されている綴じ紐を通すための一対の綴じ孔にそれぞれ挿入される一対の差込棒からなる綴じ紐通し補助具であって、前記差込棒は、前記綴じ孔に挿入される直線状の本体部と、当該本体部の一端部に形成され、前記綴じ孔に挿脱自在な大きさのリング部と、前記本体部の他端部に形成され、前記書類束における前記綴じ孔の縁部に係合する移動規制部と、を備えることを特徴とする綴じ紐通し補助具。
【００１３】
（１）によれば、例えば、綴じ紐によって綴じられた複数の書類の中から特定の書類を抜き出す際に、綴じ紐をほどき、綴じ紐が綴じ孔に挿入されている状態で最上の書類から特定の書類の直前の書類までの書類束と残りの書類とを分ける。そして、書類束の綴じ孔が連なることによって形成される２つの貫通孔にそれぞれ差込棒を挿入し、特定の書類の直前の書類の綴じ孔からリング部を突出させてから、綴じ紐を抜き出す。若しくは、書類束から綴じ紐を抜き出した後に、２つの貫通孔にそれぞれ差込棒を挿入し、特定の書類の直前の書類の綴じ孔からリング部を突出させる。これにより、抜き出された書類束がバラバラにならないように一対の差込棒によって保持されるようになり、抜き出された書類束を簡易的な冊子としてそのまま使用することが可能になる。また、綴じ紐を外した書類束を元に戻す場合には、特定の書類を元に戻した後、綴じ紐の端部をリング部に挿入し、移動規制部を引っ張ってリング部を綴じ孔から抜き出すことにより、書類束の綴じ孔に綴じ紐が通され、綴じ紐の先端部が書類束の最上の書類から引き出される。最後に、綴じ紐の両端部同士を結ぶことによって、元の冊子に戻すことが可能になる。このように、綴じ紐を外した書類束がバラバラにならないように保持することが可能になるとともに、抜き出した書類束を元に戻す作業が容易になる。また誤って綴じてしまった書類を取り除く場合、綴じ忘れた書類等を追加する場合等にあっても、同様にして、容易に作業することができる。
【００１４】
（２）  （１）において、前記移動規制部は、前記綴じ孔の直径よりも大きい直径の球体からなること特徴とする綴じ紐通し補助具。
【００１５】
（２）によれば、移動規制部が綴じ孔を通り抜けることが確実に防止される。
【発明の効果】
【００１６】
本発明によれば、綴じ紐によって綴じられた複数の書類から特定の書類を抜き出す作業及び元に戻す作業を容易に行うことが可能な綴じ紐通し補助具を提供することができる。
【図面の簡単な説明】
【００１７】
【図１】本発明の一実施形態における綴じ紐通し補助具の外観を示す斜視図である。
【図２】本実施形態の綴じ紐通し補助具１の使用方法を示す説明図である。
【図３】本実施形態の綴じ紐通し補助具１の使用方法を示す説明図である。
【図４】本発明の一実施形態における綴じ紐通し補助具の変形例の外観を示す斜視図である。
【図５】複数の書類を、綴じ紐１０４を用いて綴じてなる冊子１００の外観を示す説明図である。
【発明を実施するための形態】
【００１８】
以下、本発明の一実施形態について、図面を参照しながら詳細に説明する。
【００１９】
図１は、本発明の一実施形態における綴じ紐通し補助具１の外観を示す斜視図である。
綴じ紐通し補助具１は、図５に示す冊子１００において、綴じ紐１０４から抜き出した書類束に形成されている一対の綴じ孔１０２（図５参照）に一時的に差し込まれるものである。
【００２０】
綴じ紐通し補助具１は、一対の差込棒５、５からなり、差込棒５は、本体部１０と、リング部１２と、移動規制部に相当する球体部１４と、からなる。
【００２１】
本体部１０は、直線状に延びる細長い金属棒からなる。
リング部１２は、本体部１０の一端部に曲げを施すことによってリング状に構成されている。本実施形態によれば、リング部１２は、本体部１０の一端部が弧状に形成されており、この弧状部分の基端部を折り返して、弧状部分の先端を本体部１０に近接させることによって形成されている。このため、リング部１２の内側には、本体部１０の長手方向に沿って延びる欠円形の長孔が形成されている。この長孔は綴じ紐１０４（図５参照）が挿入可能な大きさに設定されている。
【００２２】
ところで、穴あけパンチによって書類等紙に穿孔される一対の綴じ孔１０２の大きさ、位置はＪＩＳ規格で決められており、ピッチ：８０ｍｍ±０．５ｍｍ、穴径：６ｍｍ±０．５ｍｍ、奥行：１２ｍｍ±１．０ｍｍと定められている。
【００２３】
リング部１２における本体部１０の長手方向に対して直角方向の幅が、６ｍｍ未満に設定されている。すなわち、リング部１２は綴じ孔１０２に挿脱自在な大きさである。
【００２４】
球体部１４は、本体部１０の他端部に固定される、プラスチック製の球体である。球体部１４の直径は、６ｍｍより大きく設定されており、本実施形態においては、１０ｍｍに設定されている。すなわち、球体部１４は、綴じ孔１０２の縁部に係合する大きさであり、差込棒５のリング部１２を綴じ孔１０２に挿入した場合、本体部１０は綴じ孔１０２を通過するが、球体部１４は綴じ孔１０２を通過することができない。
【００２５】
次に、本実施形態の綴じ紐通し補助具１の使用方法について説明する。綴じ紐通し補助具１は、図５に示す、綴じ紐１０４によって綴じられた複数の書類の中から特定の書類の抜き出すとともに、複数の書類を冊子１００の状態に戻すことに使用される。
【００２６】
まず、図２（ａ）に示す冊子１００の中から特定の書類を抜き出すために、作業員は、綴じ紐１０４をほどいて、図２（ｂ１）に示すように、最上の書類から特定の書類の直前の書類までの書類束１００ａを綴じ紐１０４から抜き出す。次に、作業員は、図２（ｃ）に示すように、この書類束１００ａの綴じ孔１０２が連なることによって形成される２つの貫通孔にそれぞれ差込棒５を差し込み、特定の書類の直前の書類の綴じ孔１０２からリング部１２を突出させる。なお、図２（ａ）に示す冊子１００の状態から、綴じ紐１０４をほどいて、綴じ紐１０４が綴じ孔１０２に通っている状態で最上の書類から特定の書類の直前の書類までの書類束１００ａと残りの書類とを分離し、図２（ｂ２）に示すように、書類束１００ａの２つの貫通孔にそれぞれ差込棒５を差し込んだ後に、書類束１００ａの２つの貫通孔から綴じ紐１０４を抜き出してもよい。
【００２７】
これにより、綴じ紐１０４が外された書類束１００ａは、バラバラにならないように綴じ紐通し補助具１によって保持されるようになり、例えば、冊子１００の中から特定の範囲の書類をまとめて抜き出して簡易的な冊子状にしておくことが可能になる。なお、書類束１００ａが厚く、リング部１２に近い書類の一部がリング部１２から抜けそうな場合には、綴じ孔１０２の直径よりも長い針金部材をリング部１２に挿入して、書類の移動を規制しておくとよい。
【００２８】
そして、作業員は、特定の書類を抜き出し、複写機に載置して複写物を作成するといった所定の作業を行った後、特定の書類の綴じ孔１０２に綴じ紐１０４を挿入して、特定の書類を元に戻す。更に、図３（ａ）に示すように、作業員は、綴じ紐１０４の端部を一方の差込棒５のリング部１２に挿入し、球体部１４を引っ張って、図３（ｂ）に示すように、リング部１２を綴じ孔１０２から抜き出す。これにより、綴じ紐１０４が書類束１００ａの綴じ孔１０２に通され、綴じ紐１０４の先端部が書類束１００ａの最上の書類から引き出される。他方の差込棒５のリング部１２にも同様に綴じ紐１０４の端部を挿入し、球体部１４を引っ張って、リング部１２を綴じ孔１０２から抜き出す。この段階で、図３（ｃ）に示すように、綴じ紐１０４の先端部が書類束１００ａの最上の書類から引き出される。最後に、図３（ｄ）に示すように、作業員が、綴じ紐１０４の両端部同士を結ぶことによって、複数の書類が元の冊子１００に戻る。
【００２９】
以上説明したように構成された本実施形態によれば、綴じ紐１０４を外した書類束１００ａの綴じ孔１０２に差込棒５を挿入することにより、書類束１００ａはバラバラにならないように差込棒５によって保持される。そして、特定の書類を抜き出し、所定の作業を行って特定の書類を元に戻した後、綴じ紐１０４の端部をリング部１２に挿入し、球体部１４を引っ張ってリング部１２を綴じ孔１０２から抜き出すことにより、書類束の綴じ孔１０２に綴じ紐１０４が通され、綴じ紐１０４の先端部が書類束の最上の書類から引き出される。最後に、綴じ紐１０４の両端部同士を結ぶことによって、複数の書類が綴じ紐１０４によって綴じられた元の状態に戻すことが可能になる。このように、書類束１００ａを元に戻す作業が容易になる。
【００３０】
また、球体部１４は、綴じ孔１０２の直径よりも大きい直径の球体からなるため、球体部１４が綴じ孔１０２を通り抜けることが確実に防止される。
【００３１】
以上、本発明の一実施形態について説明したが、本発明の実施形態は、上述した実施形態に限るものではない。例えば、上述した実施形態においては、リング部１２が、欠円形に形成しているが、図４に示すように、先細りの菱形であってもよい。また、上述した実施形態においては、球体部１４が球体であるが、図４に示すように、球体部１４の代わりに、本体部１０の他端部が円形になるように曲げを施して円環部１５を形成しても、円板体によって形成してもよく、要は、綴じ孔１０２の縁部に係合して綴じ孔１０２を通過することができなければ、球体部１４の形状は問わない。また、上述した実施形態においては、本体部１０及びリング部１２は金属によって構成されているが、金属以外でも、例えば、プラスチック製であってもよい。特に、本体部１０及びリング部１２をプラスチックで構成する場合には、本体部１０、リング部１２及び球体部１４を、例えば射出成形によって一体的に構成することが可能になる。
【００３２】
また、上述した実施形態においては、２本の差込棒５、５を使用しているが、それ以上の本数の差込棒５、５を使用してもよく、これにより、例えば、冊子１００がかなり厚い場合に、冊子１００の複数の書類を、複数の書類束に分けておくことが可能になる。
【００３３】
また、上述した実施形態においては、特定の書類を抜き出して元に戻すための作業を例として説明しているが、本実施形態における綴じ紐通し補助具１の用途は、上述したものに限らず、例えば、誤って綴じてしまった書類を取り除く場合、綴じ忘れた書類等を追加する場合等においても適用可能であり、上述した実施形態と同様にして、容易に作業することができる。
【符号の説明】
【００３４】
１  綴じ紐通し補助具
５  差込棒
１０  本体部
１２  リング部
１４  球体部
１５  環状部
１００  書類
１０２  綴じ孔
１０４  綴じ紐
【図１】
2016215542.tif 000003
【図２】
2016215542.tif 000004
【図３】
2016215542.tif 000005
【図４】
2016215542.tif 000006
【図５】
2016215542.tif 000007